(57)【要約】【課題】  自動的に自己のプレゼンス情報を登録して他のユーザが当該プレゼンス情報を得ることができる手段を提供する。【解決手段】  プレゼンス情報管理システム１０は、このフロアの各部屋にそれぞれアクセスポイント２２等が配置されている。アクセスポイント２２等は、プレゼンスサーバ３２に接続されている。各部屋にはそれぞれ移動機３４等を所持したユーザが入室した状態にある。アクセスポイント２２等は、各部屋内の移動機３４等をそれぞれ自己に帰属している移動機とし、自己のＢＳＳＩＤを保持させる。プレゼンスサーバ３２は、移動機３４等から受信したＢＳＳＩＤに関連付けられたプレゼンス情報を抽出して、所定の移動機３６等に送信するようになっている。【選択図】  図１
2006197126.tif 000002
【特許請求の範囲】
【請求項１】
無線ＬＡＮのアクセスポイントと前記アクセスポイントからの情報に基づき自身の位置情報を特定可能な移動機と前記移動機のプレゼンス情報を受信する端末とから構成されるシステムにおいて、前記端末に対して前記移動機のプレゼンス情報を送信するプレゼンスサーバであって、
前記位置情報に関連付けられたプレゼンス情報を記憶する記憶手段と、
前記移動機が送信した当該移動機の位置情報を受信する位置情報受信手段と、
前記位置情報受信手段が受信した位置情報に関連付けられたプレゼンス情報を前記記憶手段から抽出する制御手段と、
前記制御手段が抽出したプレゼンス情報を前記端末に送信するプレゼンス情報送信手段と、
を備えたことを特徴とするプレゼンスサーバ。
【請求項２】
前記位置情報受信手段が前記移動機からそれまでとは異なる位置情報を受信したときは、
前記制御手段は、前記異なる位置情報に関連付けられたプレゼンス情報を前記記憶手段から新たに抽出し、
前記プレゼンス情報送信手段は、前記制御手段が新たに抽出したプレゼンス情報を前記端末に送信する、ことを特徴とする請求項１に記載のプレゼンスサーバ。
【請求項３】
前記記憶手段は、前記位置情報を送信する移動機に関連付けられたプレゼンス情報を記憶し、
前記制御手段は、前記位置情報を送信した前記移動機に関連付けられたプレゼンス情報を前記記憶手段から抽出する、ことを特徴とする請求項１または２に記載のプレゼンスサーバ。
【請求項４】
前記記憶手段は、前記端末に関連付けられたプレゼンス情報を記憶し、
前記制御手段は、前記端末に関連付けられたプレゼンス情報を前記記憶手段から抽出し、
前記プレゼンス情報送信手段は、前記端末に関連付けられたプレゼンス情報を当該端末に送信する、ことを特徴とする請求項１〜３のいずれか１項に記載のプレゼンスサーバ。
【請求項５】
移動機の無線通信を中継する無線ＬＡＮのアクセスポイントと前記移動機のプレゼンス情報を受信する端末と前記端末に対して前記移動機のプレゼンス情報を送信するプレゼンスサーバとから構成されるシステムにおける移動機であって、
前記アクセスポイントからの情報を受信する情報受信手段と、
前記情報受信手段が受信した情報から自身の位置情報を特定する位置情報特定手段と、
前記位置情報特定手段が特定した位置情報を前記アクセスポイントを介してプレゼンスサーバに送信する位置情報送信手段と、
を備えたことを特徴とする移動機。
【請求項６】
請求項１〜４のいずれか１項に記載のプレゼンスサーバと、請求項５に記載の移動機と、を含むことを特徴とするプレゼンス情報管理システム。
【請求項７】
移動機と、前記移動機の無線通信を中継する無線ＬＡＮのアクセスポイントと、前記移動機のプレゼンス情報を受信する端末と、前記端末に前記移動機のプレゼンス情報を送信するプレゼンスサーバと、から構成されるシステムにおけるプレゼンス情報管理方法であって、
前記移動機が前記アクセスポイントからの情報に基づき自身の位置情報を特定するステップと、
前記移動機が自身の位置情報を前記アクセスポイントを介して前記プレゼンスサーバに送信するステップと、
前記プレゼンスサーバが前記位置情報に関連付けられたプレゼンス情報を抽出するステップと、
前記プレゼンスサーバが前記プレゼンス情報を前記端末に送信するステップと、
を含むことを特徴とするプレゼンス情報管理方法。
【発明の詳細な説明】
【技術分野】
【０００１】
本発明は、プレゼンスサーバ、移動機、プレゼンス情報管理システムおよびプレゼンス情報管理方法に関する。
【背景技術】
【０００２】
近年、ＡＤＳＬ（Asymmetric Digital Subscriber Line）やＦＴＴＨ（Fiber to the Home）、携帯電話などあらゆる通信インフラが整備され、ユーザが常時いずれかの方法でネットワークに接続できる環境が整いつつある。ネットワークを介した通信には、例えば、電子メールやチャットなどのような人間同士のコミュニケーションやネットサーフィンがある。そして、今後は「相手がどこにいてどのような状態にあるのか」を第三者に表示するプレゼンスサービス等の情報発信型コミュニケーションの時代へと進化していくものと推測される。
【０００３】
このようなプレゼンスサービスとしては、ＳＩＰ（Session Initiation Protocol）が現在知られている。例えば、ＳＩＰを用いたシステムとしては、Ｗｉｎｄｏｗｓ（登録商標）  Ｍｅｓｓｅｎｇｅｒが存在する。なお、ＳＩＰは、種々のシステムにおいて利用されている。例えば、下記特許文献１には、ＳＩＰを用いて分散オブジェクト間の通信を確立する技術が開示されている。
【特許文献１】特開２００３−２２２５０号公報
【発明の開示】
【発明が解決しようとする課題】
【０００４】
しかしながら、上述したような従来のプレゼンスサービスでは、自己のプレゼンス情報（個人の所在や状態に関する情報）を第三者にプレゼンスするためには、送信側のユーザが手入力で現在の自己のプレゼンス情報を登録しなければならず面倒であった。また、自分で入力したスタティックな状態表示しかできないため、場所を移動するなど状態が変わった場合には自分で状態更新を行う必要があった。そのため、ユーザが更新を忘れた場合には、実際の状況とプレゼンス情報の表示にずれが生じることがあり、プレゼンス情報の精度には問題があった。
【０００５】
本発明は、かかる事情に鑑みてなされたものであり、その目的は、自動的に自己のプレゼンス情報を登録して他のユーザが当該プレゼンス情報を得ることができる手段を提供することにある。
【課題を解決するための手段】
【０００６】
本発明は、無線ＬＡＮのアクセスポイントとアクセスポイントからの情報に基づき自身の位置情報を特定可能な移動機と移動機のプレゼンス情報を受信する端末とから構成されるシステムにおいて、端末に対して移動機のプレゼンス情報を送信するプレゼンスサーバであって、位置情報に関連付けられたプレゼンス情報を記憶する記憶手段と、移動機が送信した当該移動機の位置情報を受信する位置情報受信手段と、位置情報受信手段が受信した位置情報に関連付けられたプレゼンス情報を記憶手段から抽出する制御手段と、制御手段が抽出したプレゼンス情報を端末に送信するプレゼンス情報送信手段と、を備えたことを特徴とする。
【０００７】
この構成によれば、プレゼンスサーバの位置情報受信手段はアクセスポイント（Access Point、以下、ＡＰということがある）からの情報に基づいた位置情報を移動機から受信し、制御手段は当該位置情報に関連付けられたプレゼンス情報を記憶手段から抽出し、プレゼンス情報送信手段は当該プレゼンス情報を端末に送信するので、ユーザが自己のプレゼンス情報を手入力で登録しなくとも、自動的にユーザが所持する移動機の位置に応じたプレゼンス情報を、端末を使用するユーザに送信することができる。
【０００８】
この場合、位置情報受信手段が移動機からそれまでとは異なる位置情報を受信したときは、制御手段は異なる位置情報に関連付けられたプレゼンス情報を記憶手段から新たに抽出し、プレゼンス情報送信手段は制御手段が新たに抽出したプレゼンス情報を端末に送信することが好適である。
【０００９】
この構成によれば、移動機が移動して異なる位置情報を送信した場合に、プレゼンスサーバはその新たな位置情報に基づいた新たなプレゼンス情報を抽出して端末に自動的に送信する。そのため、プレゼンス情報を受信するユーザは常に更新されたプレゼンス情報を受信することができる。
【００１０】
この場合、記憶手段は位置情報を送信する移動機に関連付けられたプレゼンス情報を記憶し、制御手段は位置情報を送信した移動機に関連付けられたプレゼンス情報を記憶手段から抽出することが好適である。
【００１１】
この構成によれば、記憶手段は位置情報を送信する移動機に関連付けられたプレゼンス情報を記憶し、制御手段は位置情報を送信した移動機に関連付けられたプレゼンス情報を抽出するので、送信側のユーザごとにプレゼンス情報をカスタマイズ（ユーザの好みに合わせて変更）することができる。
【００１２】
この場合、記憶手段は端末に関連付けられたプレゼンス情報を記憶し、制御手段は端末に関連付けられたプレゼンス情報を記憶手段から抽出し、プレゼンス情報送信手段は端末に関連付けられたプレゼンス情報を当該端末に送信することが好適である。
【００１３】
この構成によれば、記憶手段はプレゼンス情報を送信する端末に関連付けられたプレゼンス情報を記憶し、制御手段は端末に関連付けられたプレゼンス情報を抽出し、プレゼンス情報送信手段は受信側の端末に関連付けられたプレゼンス情報を当該端末ごとに送信するので、受信側のユーザごとにプレゼンス情報をカスタマイズすることができる。
【００１４】
また本発明の別の態様は、移動機の無線通信を中継する無線ＬＡＮのアクセスポイントと移動機のプレゼンス情報を受信する端末と端末に対して移動機のプレゼンス情報を送信するプレゼンスサーバとから構成されるシステムにおける移動機であって、アクセスポイントからの情報を受信する情報受信手段と、情報受信手段が受信した情報から自身の位置情報を特定する位置情報特定手段と、位置情報特定手段が特定した位置情報をアクセスポイントを介してプレゼンスサーバに送信する位置情報送信手段と、
を備えたことを特徴とする。
【００１５】
この構成によれば、情報受信手段はアクセスポイントからの情報を受信し、位置情報特定手段はアクセスポイントからの情報から自身の位置情報を特定し、位置情報送信手段は当該位置情報をプレゼンスサーバに送信するので、ユーザは自己のプレゼンス情報を手入力で登録する必要がない。
【００１６】
さらに本発明の別の態様は、上述のプレゼンスサーバと、上述の移動機とを含むことを特徴とするプレゼンス情報管理システムであり、ユーザの移動機の位置に応じたプレゼンス情報を得ることができる。
【００１７】
また本発明の別の態様は、移動機と、移動機の無線通信を中継する無線ＬＡＮのアクセスポイントと、移動機のプレゼンス情報を受信する端末と、端末に移動機のプレゼンス情報を送信するプレゼンスサーバと、から構成されるシステムにおけるプレゼンス情報管理方法であって、移動機がアクセスポイントからの情報に基づき自身の位置情報を特定するステップと、移動機が自身の位置情報をアクセスポイントを介してプレゼンスサーバに送信するステップと、プレゼンスサーバが位置情報に関連付けられたプレゼンス情報を抽出するステップと、プレゼンスサーバがプレゼンス情報を端末に送信するステップと、を含むことを特徴とし、この構成によりユーザの位置に応じたプレゼンス情報を得ることができる。
【発明の効果】
【００１８】
本発明によるプレゼンスサーバ、移動機、プレゼンス情報管理システムおよびプレゼンス情報管理方法によれば、自動的に自己のプレゼンス情報を登録して他のユーザが当該プレゼンス情報を得ることができる。
【発明を実施するための最良の形態】
【００１９】
以下、本発明の実施の形態に係るプレゼンス情報管理システムついて添付図面を参照して説明する。なお、本実施形態に係るプレゼンス情報管理システムは、本発明の実施形態に係るプレゼンスサーバおよび移動機を含んでいる。
【００２０】
まず、本実施形態に係るプレゼンス情報管理システムの構成について説明する。図１は、本実施形態に係るプレゼンス情報管理システムの構成を示す図である。図１に示すプレゼンス情報管理システム１０は、本発明をオフィスビルの１フロアに適用した例を示している。このフロアの食堂１２、休憩室１４、図書室１６、会議室１８、トイレ２０には、それぞれアクセスポイント２２，２４，２６，２８，３０が配置されている。アクセスポイント２２，２４，２６，２８，３０は、プレゼンスサーバ３２に接続されている。また、食堂１２、休憩室１４、図書室１６、会議室１８、トイレ２０には、それぞれ移動機３４，３６，３８，４０，４２を所持したユーザが入室した状態にある。本実施形態においては、移動機３４，３６，３８，４０，４２は、自己の位置情報を送信する移動機であるとともに、他の移動機のプレゼンス情報を受信する端末としても作用する。以下、各構成要素について説明する。
【００２１】
アクセスポイント２２，２４，２６，２８，３０は、一般的な無線ＬＡＮのアクセスポイントであり、移動機３４，３６，３８，４０，４２の無線通信を中継する役割を果たし、それぞれ固有のＢＳＳＩＤ（ＭＡＣアドレス）を有する。アクセスポイント２２，２４，２６，２８，３０は、各部屋内の移動機３４，３６，３８，４０，４２をそれぞれ自己に帰属している移動機とし、自己のＢＳＳＩＤをそれぞれの移動機の位置情報として保持させる。逆にアクセスポイント２２，２４，２６，２８，３０は、自己に帰属する移動機３４，３６，３８，４０，４２から、当該ＢＳＳＩＤおよび移動機ごとに固有のＳＩＰアドレス（ユーザＩＤ）が含まれたＮＯＴＩＦＹメソッド（情報更新リクエスト、以下、ＮＯＴＩＦＹとする）を受信し、プレゼンスサーバ３２に送るようになっている。
【００２２】
図２は本実施形態に係るプレゼンスサーバの構成を示す図である。本実施形態に係るプレゼンスサーバ３２は、プレゼンス情報データベース４４（記憶手段）、位置情報受信部４６（位置情報受信手段）、制御部４８（制御手段）、プレゼンス情報送信部５０（プレゼンス情報送信手段）とから構成される。プレゼンス情報データベース４４は、物理的にはハードディスク等の記憶装置から構成され、ＢＳＳＩＤ、ＳＩＰアドレスおよびプレゼンス情報を受信する移動機ごとに関連付けられたプレゼンス情報を記憶する。プレゼンス情報データベース４４に記憶されたデータの詳細については後述する。なお、プレゼンス情報データベース４４は、必ずしもプレゼンスサーバ３２の内部に設けられている必要はなく、外部データベースの形態をとっても良い。
【００２３】
位置情報受信部４６は、物理的には入力インターフェース等から構成され、アクセスポイント２２等からのＮＯＴＩＦＹを受信して制御部４８に送る。制御部４８は、物理的にはＣＰＵ（中央処理装置：Central Processing Unit）、ＲＯＭ（Read Only Memory）、ＲＡＭ（Random Access Memory）等から構成され、位置情報受信部４６が受信したＢＳＳＩＤ等に基づき、これらに関連付けられたプレゼンス情報をプレゼンス情報データベース４４から抽出するようになっている。プレゼンス情報送信部５０は、物理的には出力インターフェース等から構成され、制御部４８が抽出したプレゼンス情報をアクセスポイントを介して予め定められた移動機に送信するようにされている。ここで、もし、位置情報受信部４６が受信していたＢＳＳＩＤがそれまでとは異なるものとなったときは、制御部４８はその異なるＢＳＳＩＤに関連付けられたプレゼンス情報をプレゼンス情報データベース４４から抽出し、プレゼンス情報送信部５０は抽出した新たなプレゼンス情報を自動的に所定の移動機に送信するようになっている。
【００２４】
図４は、本実施形態に係るプレゼンスサーバのプレゼンス情報データベースに格納されているＢＳＳＩＤごとに関連付けられた場所名とデフォルトプレゼンス情報の例を示す図である。図４の例では、例えば図１における休憩室１４に配置されたアクセスポイント２４のＢＳＳＩＤとして（００：００：００：０５：Ａ５：０３）が割当てられており、このＢＳＳＩＤには、場所名として「休憩室」、デフォルトプレゼンス情報として「休憩中」が関連付けられている。同様に、会議室１８、食堂１２、図書室１６、トイレ２０に配置されたアクセスポイントにもそれぞれに割当てられたＢＳＳＩＤに対する場所名とデフォルトプレゼンス情報が関連付けられている。ユーザが特に指定をしない限り、プレゼンスサーバ３２が受信したＮＯＴＩＦＹ中のＢＳＳＩＤに対して、このデフォルトプレゼンス情報がプレゼンス情報データベース４４から抽出されて、各々の移動機３４，３６，３８，４０，４２に送信されるようになっている。なお、ここで指定されていないＢＳＳＩＤをプレゼンスサーバが受信した場合、「オンライン」（所在は圏内）の状態を送信するようになっている。
【００２５】
図５は、本実施形態に係るプレゼンスサーバのプレゼンス情報データベースに格納されているＢＳＳＩＤ、送信ユーザおよび受信ユーザごとに関連付けられたプレゼンス情報の例を示す図である。この図５の例では、送信ユーザがＢＳＳＩＤごとのプレゼンス情報を登録して関連付けることができるようになっている。１つのＢＳＳＩＤに対して複数個のプレゼンス情報を登録でき、図５の例では、プレゼンス情報Ａ，Ｂの２つのプレゼンス情報を登録できるようになっている。そして、各プレゼンス情報に対して、受信ユーザを設定できるようになっている。
【００２６】
例えば、図５に示すように、送信ユーザがユーザＡの場合、場所名「休憩室」が関連付けられたＢＳＳＩＤ（００：００：００：０５：Ａ５：０３）には、プレゼンス情報Ａ「喫煙中」と、プレゼンス情報Ｂ「勤務中」の２つのプレゼンス情報が登録されている。なお、この例では、ユーザＡは喫煙者であるのでプレゼンス情報Ａは「喫煙中」と登録されているが、例えば送信ユーザが非喫煙者の場合は、「喫煙中」以外のプレゼンス情報を登録することができる。そして、プレゼンス情報Ａ「喫煙中」の受信ユーザにはユーザＡの友人であるユーザＢ，ユーザＣおよびユーザＨが設定されている。一方、プレゼンス情報Ｂ「勤務中」の受信ユーザにはユーザＡの上司であるユーザＤが設定されている。
【００２７】
また図５に示すように、送信ユーザがユーザＢの場合、場所名「食堂」が関連付けられたＢＳＳＩＤ（００：００：００：０５：Ａ５：０２）には、プレゼンス情報Ａ「めし中」が登録されており、受信ユーザにはＡＬＬが設定されている。この場合にはすべての受信ユーザにこのプレゼンス情報Ａ「めし中」が送信される。
【００２８】
さらに図５に示すように、送信ユーザがユーザＡの場合、場所名「トイレ」が関連付けられたＢＳＳＩＤ（００：００：００：０５：Ａ５：０５）にプレゼンス情報Ａ「奮闘中」が登録され、受信ユーザにはＡＬＬが設定されている。ただし、プレゼンス情報Ｂ「勤務中」も登録されており、受信ユーザにはユーザＤが設定されている。このような場合には、受信ユーザＤにはプレゼンス情報Ｂ「勤務中」が送信され、それ以外の受信ユーザにはプレゼンス情報Ａ「奮闘中」が送信されるようになっている。
【００２９】
図３は、本実施形態に係る移動機の構成を示す図である。図３に示すように本実施形態の移動機３４は、電波受信部５２（情報受信手段）、位置情報特定部５４（位置情報特定手段）、電波送信部５６（位置情報送信手段）、表示部５８から構成されている。電波受信部５２は、物理的には、復調回路、増幅回路等から構成され、帰属するアクセスポイントからの電波信号を受信するようになっている。この電波信号には、アクセスポイントのＢＳＳＩＤの他、プレゼンスサーバからアクセスポイントを介して受信した他の各々の移動機のプレゼンス情報も含まれる。位置情報特定部５４は、物理的にはＣＰＵ、ＲＯＭ、ＲＡＭ等から構成され、受信した電波信号からＢＳＳＩＤを特定するようにされている。電波送信部５６は、変調回路、増幅回路等から構成され、帰属するアクセスポイントを介してプレゼンスサーバに、ＢＳＳＩＤおよび移動機３４自身のＳＩＰアドレスを含むＮＯＴＩＦＹを送信できるようにされている。表示部５８は、物理的には液晶ディスプレイ等からなり、プレゼンスサーバからアクセスポイントを介して受信した他の移動機のプレゼンス情報を表示することができるようにされている。
【００３０】
続いて、本実施形態に係るプレゼンス情報管理システムの動作について説明し、併せて本発明の実施形態に係るプレゼンス情報管理方法について説明する。図６は、送信ユーザが移動した場合における本発明の実施形態に係るプレゼンス情報管理システムの動作を示すシーケンス図である。この図６では、図１において移動機３４を所持する送信ユーザであるユーザＡが、図１中の矢印に示すように食堂１２から休憩室１４に移動した場合を例にとり説明する。
【００３１】
移動機３４は、移動前は、食堂１２のアクセスポイント２２に帰属し、アクセスポイント２２のＢＳＳＩＤを記憶して保持している。この状態で移動機３４が休憩室１４に移動する（Ｓ１）。このとき移動機３４の帰属先アクセスポイントは、食堂のアクセスポイント２２から休憩室のアクセスポイント２４に変更され、移動機３４はアクセスポイント２４のＢＳＳＩＤを記憶して保持する（Ｓ３）。
【００３２】
そして、帰属しているアクセスポイントが変わることにより、記憶しているＢＳＳＩＤの変更をトリガーとしてプレゼンス情報の更新を行なう。このプレゼンス情報の更新は、移動機３４がＮＯＴＩＦＹを送信することで行なわれる。ＮＯＴＩＦＹ中のＦｒｏｍタグには移動機３４固有のＳＩＰアドレスが含まれる。また、ＮＯＴＩＦＹのデータ部には新たなＢＳＳＩＤが含まれている。ＮＯＴＩＦＹのデータ部にはＢＳＳＩＤ用のタグが存在し、プレゼンスサーバ３２は、そのタグ以降のデータをＢＳＳＩＤと認識するようになっている。このようなＮＯＴＩＦＹによってアクセスポイント２４に通知を行なう（Ｓ３）。アクセスポイント２４は、ＮＯＴＩＦＹをそのまま中継してプレゼンスサーバ３２に流す（Ｓ４）。
【００３３】
プレゼンスサーバ３２内では、内部処理としてまずＮＯＴＩＦＹからＳＩＰアドレスとＢＳＳＩＤの切出し（抽出）を行なう（Ｓ５）。これは、ＮＯＴＩＦＹに含まれるＦｒｏｍタグからＳＩＰアドレスを抽出し、かつデータ部のＢＳＳＩＤ用タグ以降のデータをＢＳＳＩＤと認識して抽出することにより行う。次に、ＢＳＳＩＤから場所名を特定する（Ｓ６）。そしてＳＩＰアドレスとＢＳＳＩＤからプレゼンス情報を特定する（Ｓ７）。必要な場合は、データのカスタマイズを行い送信ユーザ、受信ユーザに応じたプレゼンス情報を決定する（Ｓ８）。不必要な場合は、そのままのデフォルトプレゼンス情報を各々の移動機に送信する。
【００３４】
プレゼンスサーバ３２は、アクセスポイント２４にプレゼンス情報の更新が完了した旨のレスポンスＯＫを通知する（Ｓ９）。アクセスポイント２４は、レスポンスＯＫを中継して移動機３４に送る（Ｓ１０）。そして、送信ユーザの移動機３４上のプレゼンス情報が更新される（Ｓ１１）。
【００３５】
またプレゼンスサーバ３２は、移動機３４のプレゼンス情報の更新をトリガとして受信ユーザに応じたプレゼンス情報をそれぞれの受信ユーザの移動機３６，３８，４０，４２に通知する（Ｓ１２）。プレゼンスサーバ３２は、受信ユーザの移動機３６，３８，４０，４２が帰属するアクセスポイント２４，２６，２８，３０に、それぞれの受信ユーザに応じたＮＯＴＩＦＹを通知する（Ｓ１３）。このプレゼンスサーバ３２からのＮＯＴＩＦＹのデータ部にはユーザに応じたプレゼンス情報が格納されている。アクセスポイント２４，２６，２８，３０は、それぞれのＮＯＴＩＦＹを中継して、各受信ユーザの移動機３６，３８，４０，４２に送る（Ｓ１４）。ＮＯＴＩＦＹを受信した移動機３６，３８，４０，４２は、ＮＯＴＩＦＹを受信した旨のレスポンスＯＫを帰属するアクセスポイント２４，２６，２８，３０に返信し（Ｓ１５）、アクセスポイント２４，２６，２８，３０は、ＮＯＴＩＦＹをプレゼンスサーバに送る（Ｓ１６）。その後、プレゼンスサーバ３２からのＮＯＴＩＦＹを元に、受信ユーザの移動機３６，３８，４０，４２上のプレゼンス情報が更新される（Ｓ１７）。
【００３６】
上述のＳ１〜Ｓ１７の処理は、送信ユーザの移動機が移動して、帰属するアクセスポイントが変更になる度に繰り返される。これにより、ユーザは他のユーザのプレゼンス情報を逐次把握することができる。
【００３７】
次に、各移動機上のプレゼンス情報の表示について説明する。例えば、図１に示すように移動機３４を所持するユーザＡが、図中の矢印に示すように休憩室１４に移動して喫煙を行なっているとする。このとき、上司であるユーザＤには勤務中、友人であるユーザＢ，ユーザＣ，ユーザＨには喫煙中、それ以外の人には休憩中と表示したいとする。この場合、プレゼンスサーバ３２のプレゼンス情報データベース４４には、図５に示すようなプレゼンス情報が登録されている。
【００３８】
そして、プレゼンス情報管理システム１０が上述したような動作を行った結果、図７に示すように、ユーザＡの上司であるユーザＤの移動機の表示部には、ユーザＡが勤務中である旨のプレゼンス情報が表示される。一方、図８に示すように、ユーザＡの友人であるユーザＢ，ユーザＣ，ユーザＨの移動機の表示部には、ユーザＡが喫煙中である旨のプレゼンス情報が表示される。そして、図９に示すように、上記ユーザＢ，ユーザＣ，ユーザＤ，ユーザＨ以外の人には、デフォルトプレゼンスの休憩中である旨のプレゼンス情報が表示される。
【００３９】
続いて本実施形態に係るプレゼンス情報管理システムの作用及び効果について説明する。本実施形態に係るプレゼンス情報管理システム１０は、各々のユーザが所持する移動機３４，３６，３８，４０，４２が、帰属するアクセスポイント２２，２４，２６，２８，３０よりＢＳＳＩＤを取得し、プレゼンスサーバ３２はそのＢＳＳＩＤに基づいてプレゼンス情報を特定する。そのため、ユーザは自身のプレゼンス情報を手入力等で更新する必要がない。また、ユーザが移動したことによりプレゼンス状態が変わったときでも、自動的に更新されたプレゼンス情報を登録することができる。そして、自動的にプレゼンス情報が更新されるため、ユーザの更新忘れ等により、実際の状況とプレゼンス情報にずれが生じすることが無くなり、プレゼンス機能の精度を向上させることができる。
【００４０】
特に、プレゼンス情報が更新される度に、更新されたプレゼンス情報を新たに他のユーザに送信するようにすることにより、ユーザは逐次、他のユーザの正確なプレゼンス情報を得ることができる。
【００４１】
加えてユーザは、プレゼンス情報をカスタマイズすることができ、同じアクセスポイントのＢＳＳＩＤに対して、自分の趣向に合わせたプレゼンス情報を登録することができる。特に、自身のプレゼンス情報を受信するユーザ毎にカスタマイズしたプレゼンス情報を登録することができ、プレゼンス機能の活用の範囲を広げることができる。
【００４２】
尚、本発明のプレゼンスサーバ、移動機、プレゼンス情報管理システムおよびプレゼンス情報管理方法は、上記した実施の形態に限定されるものではなく、本発明の要旨を逸脱しない範囲内において種々変更を加え得ることは勿論である。例えば、上記した実施の形態では、位置情報を送信する移動機が、他のユーザのプレゼンス情報を受信する端末を兼ねている例を中心に説明したが、例えば、プレゼンスサーバと有線で接続されたプレゼンス情報の受信専用の端末を配置したシステムとすることも可能である。
【図面の簡単な説明】
【００４３】
【図１】本発明の実施形態に係るプレゼンス情報管理システムの構成を示す図である。
【図２】本発明の実施形態に係るプレゼンスサーバの構成を示す図である。
【図３】本発明の実施形態に係る移動機の構成を示す図である。
【図４】本発明の実施形態に係るプレゼンスサーバのプレゼンス情報データベースに格納されているＢＳＳＩＤごとに関連付けられた場所名とデフォルトプレゼンス情報の例を示す図である。
【図５】本発明の実施形態に係るプレゼンスサーバのプレゼンス情報データベースに格納されているＢＳＳＩＤ、送信ユーザおよび受信ユーザごとに関連付けられたプレゼンス情報の例を示す図である。
【図６】送信ユーザが移動した場合における本発明の実施形態に係るプレゼンス情報管理システムの動作を示すシーケンス図である。
【図７】受信ユーザが送信ユーザの上司である場合における受信ユーザの移動機の画面表示を示す図である。
【図８】受信ユーザが送信ユーザの友人である場合における受信ユーザの移動機の画面表示を示す図である。
【図９】一般の受信ユーザの移動機の画面表示を示す図である。
【符号の説明】
【００４４】
１０…プレゼンス情報管理システム、１２…食堂、１４…休憩室、１６…図書室、１８…会議室、２０…トイレ、２２，２４，２６，２８，３０…アクセスポイント、３２…プレゼンスサーバ、３４，３６，３８，４０，４２…移動機、４４…プレゼンス情報データベース、４６…位置情報受信部、４８…制御部、５０…プレゼンス情報送信部、５２…電波受信部、５４…位置情報特定部、５６…電波送信部、５８…表示部
【図１】
2006197126.tif 000003
【図２】
2006197126.tif 000004
【図３】
2006197126.tif 000005
【図４】
2006197126.tif 000006
【図５】
2006197126.tif 000007
【図６】
2006197126.tif 000008
【図７】
2006197126.tif 000009
【図８】
2006197126.tif 000010
【図９】
2006197126.tif 000011